(57)【特許請求の範囲】
【請求項１】
第一の周波数の単一周波数成分を持つパイロットシーケンスを先頭に備えたバースト信号が生成された第一の偏波の信号と、前記第一の周波数とは異なる第二の周波数の単一周波数成分を持つパイロットシーケンスを先頭に備えたバースト信号が生成された、前記第一の偏波の信号と直交する第二の偏波の信号を多重した偏波多重信号からなる光信号を送信する送信器と、
前記送信器からの光信号を受信する受信器を備え、
前記受信器は、
前記送信器から送信された光信号と局発光とを干渉させて電気信号に変換してコヒーレント検波信号を出力するコヒーレント光受信部と、
前記コヒーレント光受信部から出力されたコヒーレント検波信号をデジタル信号に変換するＡ／Ｄコンバータと、
前記Ａ／Ｄコンバータの出力信号から前記パイロットシーケンスを検出するパイロットシーケンス検出部と、
前記パイロットシーケンス検出部が前記パイロットシーケンスを検出した際に、検出したパイロットシーケンスにおける前記第一の周波数におけるＨ偏波の成分とＶ偏波の成分の最大比合成により前記第一の偏波の信号の前記受信器における偏波状態を推定し、かつ、前記検出したパイロットシーケンスにおける前記第二の周波数におけるＨ偏波の成分とＶ偏波の成分の最大比合成により前記第二の偏波の信号の前記受信器における偏波状態を推定する偏波推定部と、
前記偏波推定部にて推定された偏波状態に基づいて前記Ａ／Ｄコンバータの出力信号から第一の偏波の信号と第二の偏波の信号を分離する等化器と、
前記等化器により分離された第一の偏波の信号と第二の偏波の信号の位相を推定及び補償する位相推定部と、
前記位相推定部により位相を補償された第一の偏波の信号と第二の偏波の信号を判定及び復号する復号部とを備えた光通信装置。
【請求項２】
第一の周波数の単一周波数成分を持つパイロットシーケンスを先頭に備えたバースト信号が生成された第一の偏波の信号と、前記第一の周波数とは異なる第二の周波数の単一周波数成分を持つパイロットシーケンスを先頭に備えたバースト信号が生成された、前記第一の偏波の信号と直交する第二の偏波の信号を多重した偏波多重信号からなる光信号を送信する送信器と、
前記送信器からの光信号を受信する受信器を備え、
前記受信器は、
前記送信器から送信された光信号と局発光とを干渉させて電気信号に変換してコヒーレント検波信号を出力するコヒーレント光受信部と、
前記コヒーレント光受信部から出力されたコヒーレント検波信号をデジタル信号に変換するＡ／Ｄコンバータと、
前記Ａ／Ｄコンバータの出力信号から前記パイロットシーケンスを検出するパイロットシーケンス検出部と、
前記パイロットシーケンス検出部が前記パイロットシーケンスを検出した際に、検出したパイロットシーケンスにおける前記第一の周波数におけるＨ偏波の成分とＶ偏波の成分の最大比合成により前記第一の偏波の信号の前記受信器における偏波状態を推定し、かつ、前記検出したパイロットシーケンスにおける前記第二の周波数におけるＨ偏波の成分とＶ偏波の成分の最大比合成により前記第二の偏波の信号の前記受信器における偏波状態を推定する偏波推定部と、
前記偏波推定部にて推定された偏波状態に基づいて前記Ａ／Ｄコンバータの出力信号から第一の偏波の信号と第二の偏波の信号を分離する適応等化器と、
前記偏波推定部が推定した偏波状態に基づき前記第一の偏波の信号と前記第二の偏波の信号を分離する設定を初期値として前記適応等化器の係数を定包絡線基準アルゴリズムを用いて算出された結果に基づいて更新する係数更新部と、
前記適応等化器により分離された第一の偏波の信号と第二の偏波の信号の位相を推定及び補償する位相推定部と、
前記位相推定部により位相を補償された第一の偏波の信号と第二の偏波の信号を判定及び復号する復号部とを備えた光通信装置。
【請求項３】
前記パイロットシーケンス検出部は、前記Ａ／Ｄコンバータの出力信号をフーリエ変換することで前記パイロットシーケンスを検出することを特徴とする請求項１又は請求項２記載の光通信装置。
【発明の詳細な説明】
【技術分野】
【０００１】
本発明は、デジタルコヒーレント技術を用いた光通信装置に関するものである。
【背景技術】
【０００２】
アクセス系光通信システムでは、一つの光加入者線終端装置（ＯＬＴ）が複数の光加入者線ネットワーク装置（ＯＮＵ）を収容するため、Ｐａｓｓｉｖｅ  Ｏｐｔｉｃａｌ  Ｎｅｔｗｏｒｋ（ＰＯＮ）において加入者毎の信号を時間分割多重し、伝送している。そのためＯＬＴでは各ＯＮＵから送信される１０μ秒程度のバースト信号を受信する。
アクセス系光通信システムの伝送容量を拡大する方式として、デジタルコヒーレント技術の導入が期待されている。デジタルコヒーレント技術では直交する２偏波を使って信号を多重することができるが、受信器において多重された２偏波を分離する必要がある。偏波の状態は伝送ファイバの形状が変わること等により、バースト受信する度に変化する可能性があり、１０μ秒程度のバースト信号の受信においては、１μ秒程度で高速に偏波状態を推定し分離する必要がある。【０００３】
偏波の分離を行う適応等化フィルタの係数更新には定包絡線基準アルゴリズム（ＣＭＡ）のような逐次更新アルゴリズムが用いられるが、収束に時間がかかる課題がある。また、適応等化フィルタが同一偏波を出力してしまう課題もある。このような課題を解決するため、従来、多重する偏波それぞれのみから構成されるヘッダ信号をフレームの先頭に時間を分けて付加し、受信したヘッダの偏波状態からバースト信号の偏波状態を推定することで、適応等化フィルタの収束を高速化する手法が開示されていた（例えば、非特許文献１参照）。
【先行技術文献】
【非特許文献】
【０００４】
【非特許文献１】F. Vacondio, et al., ” Coherent Receiver Enabling Data Rate Adaptive Optical Packet Networks,” Proc. ECOC2011_Mo.2.A.4 (2011)
【発明の概要】
【発明が解決しようとする課題】
【０００５】
しかしながら、上記非特許文献１に記載された技術では、多重する偏波それぞれのみの信号を時間を分けて付加するため、ヘッダ部が長くなる課題があった。【０００６】
この発明は、かかる問題を解決するためになされたもので、ヘッダ部を長くすることなく、偏波状態の推定及び偏波多重された信号の偏波分離の高速化を図ることのできる光通信装置を提供することを目的とする。
【課題を解決するための手段】
【０００７】
この発明に係る光通信装置は、第一の周波数の単一周波数成分を持つパイロットシーケンスを先頭に備えたバースト信号が生成された第一の偏波と、第一の周波数とは異なる第二の周波数の単一周波数成分を持つパイロットシーケンスを先頭に備えたバースト信号が生成された、前記第一の偏波の信号と直交する第二の偏波の信号を多重した偏波多重信号からなる光信号を送信する送信器と、送信器からの光信号を受信する受信器を備え、受信器は、送信器から送信された光信号と局発光とを干渉させて電気信号に変換してコヒーレント検波信号を出力するコヒーレント光受信部と、コヒーレント光受信部から出力されたコヒーレント検波信号をデジタル信号に変換するＡ／Ｄコンバータと、Ａ／Ｄコンバータの出力信号からパイロットシーケンスを検出するパイロットシーケンス検出部と、パイロットシーケンス検出部がパイロットシーケンスを検出した際に、検出したパイロットシーケンスにおける第一の周波数におけるＨ偏波の成分とＶ偏波の成分の最大比合成により第一の偏波の信号の受信器における偏波状態を推定し、かつ、検出したパイロットシーケンスにおける第二の周波数におけるＨ偏波の成分とＶ偏波の成分の最大比合成により第二の偏波の信号の受信器における偏波状態を推定する偏波推定部と、偏波推定部にて推定された偏波状態に基づいてＡ／Ｄコンバータの出力信号から第一の偏波の信号と第二の偏波の信号を分離する等化器と、等化器により分離された第一の偏波の信号と第二の偏波の信号の位相を推定及び補償する位相推定部と、位相推定部により位相を補償された第一の偏波の信号と第二の偏波の信号を判定及び復号する復号部とを備えたものである。
【発明の効果】
【０００８】
この発明に係る光通信装置は、第一の周波数の単一周波数成分を持つパイロットシーケンスを先頭に備えたバースト信号が生成された第一の偏波と、第一の周波数とは異なる第二の周波数の単一周波数成分を持つパイロットシーケンスを先頭に備えたバースト信号が生成された、前記第一の偏波の信号と直交する第二の偏波の信号を多重した偏波多重信号からなる光信号を送信する送信器と、送信器からの光信号を受信する受信器を備え、受信器が、パイロットシーケンス検出部がパイロットシーケンスを検出した際に、検出したパイロットシーケンスにおける第一の周波数におけるＨ偏波の成分とＶ偏波の成分の最大比合成により第一の偏波の信号の受信器における偏波状態を推定し、かつ、検出したパイロットシーケンスにおける第二の周波数におけるＨ偏波の成分とＶ偏波の成分の最大比合成により第二の偏波の信号の受信器における偏波状態を推定するようにしたものである。これにより、バースト信号のヘッダ部を長くすることなく、かつ、多重化された二つの偏波の受信器における偏波状態を同時に推定できるため、高速な偏波状態の推定及び偏波多重された信号の偏波分離が可能となる。
【図面の簡単な説明】
【０００９】
【図１】この発明の実施の形態１の光通信装置を示す構成図である。
【図２】この発明の光通信装置のハードウェア構成図である。
【図３】この発明の実施の形態１の光通信装置が用いるバースト信号のフレーム構成を示す説明図である。
【図４】この発明の実施の形態１の光通信装置が用いるバースト信号におけるパイロットシーケンスのスペクトルを示す説明図である。
【図５】この発明の実施の形態１の光通信装置の動作を示すフローチャートである。
【図６】この発明の実施の形態２の光通信装置を示す構成図である。
【図７】この発明の実施の形態２の光通信装置の動作を示すフローチャートである。
【発明を実施するための形態】
【００１０】
以下、この発明をより詳細に説明するために、この発明を実施するための形態について、添付の図面に従って説明する。
実施の形態１．
図１は、本実施の形態による光通信装置の構成図である。
本実施の形態による光通信装置は、図示のように、送信器１００と受信器２００とを備える。送信器１００は、直交する第一の偏波と第二の偏波の信号を多重した偏波多重信号で、かつ、第一の偏波と第二の偏波がそれぞれ異なる第一の周波数と第二の周波数の単一周波数成分を持つパイロットシーケンスを先頭に備えたバースト信号を生成するよう構成されている。受信器２００は、送信器１００からの光信号を受信する受信器であり、コヒーレント光受信部２０１、Ａ／Ｄコンバータ（ＡＤＣ）２０２、パイロットシーケンス検出部２０３、偏波推定部２０４、等化器２０５、位相推定部２０６、復号部２０７を備える。
【００１１】
コヒーレント光受信部２０１は、送信器１００から送信された光信号の受信光３０１を局発光３０２と干渉させて、コヒーレント検波信号を出力する偏波及び位相ダイバーシティ型コヒーレント受信器である。Ａ／Ｄコンバータ２０２は、コヒーレント光受信部２０１から出力されたコヒーレント検波信号をデジタル信号に変換するＡ／Ｄ変換器である。パイロットシーケンス検出部２０３は、Ａ／Ｄコンバータ２０２からのデジタル信号をフーリエ変換し、このフーリエ変換された信号の周波数ピークを検出することによりパイロットシーケンスを検出する処理部である。偏波推定部２０４は、パイロットシーケンス検出部２０３がパイロットシーケンスを検出した際に、フーリエ変換された信号の、第一の周波数に対応する周波数成分から最大比合成により第一の偏波の受信器２００における偏波状態を推定し、かつ、第二の周波数に対応する周波数成分から最大比合成により第二の偏波の受信器２００における偏波状態を推定する処理部である。等化器２０５は、偏波推定部２０４で推定された偏波状態を用いて第一の偏波と第二の偏波を分離する偏波分離部としての機能を有する処理部である。位相推定部２０６は、等化器２０５により分離された信号の位相を推定及び補償する処理部である。復号部２０７は、位相推定部２０６により位相を補償された信号を判定し、かつ、復号するための処理部である。
【００１２】
また、上記送信器１００と、受信器２００におけるパイロットシーケンス検出部２０３〜復号部２０７の各機能は、それぞれ処理回路により実現される。それぞれの処理回路は、専用のハードウェアであっても、メモリに格納されるプログラムを実行するプロセッサ（ＣＰＵ（Ｃｅｎｔｒａｌ  Ｐｒｏｃｅｓｓｉｎｇ  Ｕｎｉｔ）、中央処理装置、演算装置、マイクロプロセッサ、マイクロコンピュータ、ＤＳＰ（Ｄｉｇｉｔａｌ  Ｓｉｇｎａｌ  Ｐｒｏｃｅｓｓｏｒ）ともいう）を用いたものであってもよい。処理回路が専用のハードウェアである場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。偏波分離、位相推定、偏波補償、復号の各機能それぞれを処理回路で実現してもよいし、各機能をまとめて一つの処理回路で実現してもよい。
【００１３】
図２は、プログラムを実行することにより光通信装置を構成する場合の送信器１００及び受信器２００のハードウェア構成図である。図示の構成は、プロセッサ１、メモリ２、入出力インタフェース（Ｉ／Ｆ）３、バス４からなる。プロセッサ１は、送信器１００または受信器２００としての処理を行うためのプロセッサである。メモリ２は、例えば、ＲＡＭ、ＲＯＭ、フラッシュメモリ、ＥＰＲＯＭ、ＥＥＰＲＯＭ等の不揮発性または揮発性の半導体メモリや、磁気ディスク、フレキシブルディスク、光ディスク、コンパクトディスク、ミニディスク、ＤＶＤ等のリムーバブルメディアドライブ、あるいはハードディスク装置（ＨＤＤ）である。入出力Ｉ／Ｆ３は外部との信号の入出力を行うためのインタフェースである。バス４は、プロセッサ１、メモリ２及び入出力Ｉ／Ｆ３を相互に接続するための通信路である。図１に示した送信器１００を図２のハードウェアで実現する場合は、送信器１００の機能に対応したプログラムをメモリ２に格納し、プロセッサ１がこれを読み出して実行することにより構成される。また、受信器２００を図２のハードウェアで実現する場合は、パイロットシーケンス検出部２０３〜復号部２０７の機能に対応したプログラムをメモリ２に格納し、プロセッサ１がそれぞれのプログラムを読み出して実行することにより、パイロットシーケンス検出部２０３〜復号部２０７の各構成を実現する。すなわち、パイロットシーケンスを検出するステップ、偏波状態を推定するステップ、信号の歪を等化して偏波を分離するステップ、等化器の係数を更新するステップ及び復号するステップが結果的に実行されることになる。
【００１４】
なお、パイロットシーケンス検出部２０３、偏波推定部２０４、等化器２０５、位相推定部２０６及び復号部２０７の各機能について、一部を専用のハードウェアで実現し、一部をソフトウェアまたはファームウェアで実現するようにしてもよい。例えば、判定及び復号以外の機能については専用のハードウェアとしての処理回路でその機能を実現し、判定及び復号については処理回路がメモリに格納されたプログラムを読み出して実行することによってその機能を実現するといったことが可能である。
【００１５】
次に、実施の形態１の光通信装置の動作について説明する。
先ず、送信器１００の動作について説明する。
図３は、光通信装置が用いるバースト信号のフレーム構成を示し、図４にバースト信号のパイロットシーケンスのスペクトルを示している。バースト信号は互いに直交するＸ偏波とＹ偏波に信号が多重されており、図３に示すように、通信の制御情報を含むヘッダ１０と通信データに相当するペイロード２０から構成される。バースト信号はパイロットシーケンス１１をヘッダ１０の先頭に設け、パイロットシーケンス１１は、図４に示すように、Ｘ偏波とＹ偏波が互いに異なる単一周波数ｆ１とｆ２の成分のみからそれぞれ構成されている。実施の形態１では、第１の偏波をＸ偏波、第２の偏波をＹ偏波とし、第１の周波数を周波数ｆ１、第２の周波数を周波数ｆ２とする。
【００１６】
次に、受信器２００側の動作を図５のフローチャートに基づいて説明する。
コヒーレント光受信部２０１は、図３に示すような送信器１００からのバースト信号を受信し、この受信光を局発光と干渉させて、コヒーレント検波信号を出力する（ステップＳＴ１）。次に、Ａ／Ｄコンバータ２０２は、アナログ信号であるコヒーレント検波信号をデジタル信号に変換する（ステップＳＴ２）。次いで、等化器２０５は、多重されているＸ偏波とＹ偏波の信号を受信器２００におけるＨ偏波とＶ偏波の信号から分離する（ステップＳＴ３）なお、等化器２０５は、式（３）及び式（４）に示す偏波分離の機能に加えて、受信器の周波数応答を補償するフィルタ機能を持たせても良い。
【００１７】
分離されたＸ偏波とＹ偏波の信号は、位相推定部２０６によって受信光と局発光の位相差を推定及び補償する（ステップＳＴ４）。位相が補償された信号は復号部２０７で判定及び復号される（ステップＳＴ５）。一方、パイロットシーケンス検出部２０３はＡ／Ｄコンバータ２０２からの信号をモニタし、パイロットシーケンスを検出する（ステップＳＴ６）。パイロット信号は周波数ｆ１とｆ２に周波数ピークを持つため、例えば信号をフーリエ変換し、フーリエ変換された信号の周波数ピークを検出することによりパイロットシーケンスを検出することができる。パイロット信号が検出された際に、偏波推定部２０４は、パイロット信号の周波数ｆ１の成分から最大比合成により送信器１００においてＸ偏波に割り当てられた信号の受信器２００における偏波状態を推定し、パイロット信号の周波数ｆ２の成分から最大比合成により送信器１００においてＹ偏波に割り当てられた信号の受信器２００における偏波状態を推定する（ステップＳＴ７）。例えば、フーリエ変換されたパイロット信号の周波数ｆ１に対応する受信器のＨ偏波とＶ偏波の成分がそれぞれＥＡとＥＢであり、パイロット信号の周波数ｆ２に対応する受信器のＨ偏波とＶ偏波の成分がそれぞれＥＣとＥＤであるならば、多重されているＸ偏波とＹ偏波が受信器において式（１）と式（２）のジョーンズベクトル（Ｊｏｎｅｓ  ｖｅｃｔｏｒ）で示される偏波状態にそれぞれ変化していると推定される。
【００１８】
0006400245.tif 000002
【００１９】
等化器２０５は、多重されているＸ偏波とＹ偏波の信号を偏波推定部２０４の推定結果に従い、式（３）及び式（４）によって受信器２００におけるＨ偏波とＶ偏波の信号から分離するように、係数が設定される（ステップＳＴ８）。また、パイロットシーケンスが検出されない場合は係数は変更しない。
0006400245.tif 000003
【００２０】
以上説明したように、実施の形態１の光通信装置によれば、直交する第一の偏波と第二の偏波の信号を多重した偏波多重信号で、かつ、第一の偏波と第二の偏波がそれぞれ異なる第一の周波数と第二の周波数の単一周波数成分を持つパイロットシーケンスを先頭に備えたバースト信号を生成する送信器と、送信器から送信されたバースト信号の受信光と局発光とを干渉させて電気信号に変換するコヒーレント光受信部と、コヒーレント光受信部から出力された電気信号をデジタル信号に変換するＡ／Ｄコンバータと、Ａ／Ｄコンバータの出力信号からパイロットシーケンスを検出するパイロットシーケンス検出部と、パイロットシーケンス検出部がパイロットシーケンスを検出した際に、パイロット信号の、第一の周波数に対応する周波数成分から第一の偏波の受信器における偏波状態を推定し、かつ、第二の周波数に対応する周波数成分から第二の偏波の受信器における偏波状態を推定する偏波推定部と、推定された偏波状態に基づいてＡ／Ｄコンバータの出力信号から第一の偏波と第二の偏波を分離する等化器と、等化器により分離された信号の位相を推定及び補償する位相推定部と、位相推定部により位相を補償された信号を判定及び復号する復号部とを備えたので、バースト信号のヘッダ部を長くすることなく、かつ、多重化された二つの偏波の受信器における偏波状態を同時に推定できるため、高速な偏波状態の推定及び偏波多重された信号の偏波分離が可能となる。
【００２１】
また、実施の形態１の光通信装置によれば、パイロットシーケンス検出部は、Ａ／Ｄコンバータの出力信号をフーリエ変換することでパイロットシーケンスを検出し、偏波推定部は、パイロットシーケンス検出部がパイロットシーケンスを検出した際に、フーリエ変換された信号の、第一の周波数に対応する周波数成分から最大比合成により第一の偏波の受信器における偏波状態を推定し、かつ、第二の周波数に対応する周波数成分から最大比合成により第二の偏波の受信器における偏波状態を推定するようにしたので、高速な偏波状態の推定及び偏波多重された信号の偏波分離が可能となる。
【００２２】
実施の形態２．
図６は、実施の形態２の光通信装置の構成図である。ここで、送信器１００の構成及び受信器２００ａにおけるコヒーレント光受信部２０１、Ａ／Ｄコンバータ２０２、パイロットシーケンス検出部２０３、偏波推定部２０４、位相推定部２０６、復号部２０７の構成は、図１に示した実施の形態１の構成と同様であるための、対応する部分に同一符号を付してその説明を省略する。
実施の形態２では、実施の形態１における等化器２０５に代えて、適応等化器２０５ａと係数更新部２０５ｂを備える。適応等化器２０５ａは例えばバタフライ構成のＦＩＲフィルタにより構成され、受信信号の変化に応じて適応的に信号の等化を行う。適応等化器２０５ａのフィルタ係数更新は、係数更新部２０５ｂにおいて、例えば変調方式が偏波多重４値位相変調であれば定包絡線基準アルゴリズム（ＣＭＡ）を用いて算出された結果に基づいて行われる。
【００２３】
なお、実施の形態２の光通信装置のハードウェア構成については、実施の形態１と基本的な構成については同様である。すなわち、適応等化器２０５ａ及び係数更新部２０５ｂを専用のハードウェアで構成してもよく、また、それぞれの機能に対応したプログラムを図２に示したメモリ２に格納しプロセッサ１がこれを実行するようにしてもよい。
【００２４】
次に、実施の形態２の光通信装置の動作を図７のフローチャートを用いて説明する。
先ず、ステップＳＴ１〜ステップＳＴ７の動作については、実施の形態１と同様であるため、ここでの説明は省略する。実施の形態２では、ステップＳＴ７で偏波推定部２０４が偏波状態を推定した際、係数更新部２０５ｂは、式（３）及び式（４）のように受信器２００ａにおけるＨ偏波とＶ偏波の信号から多重されているＸ偏波とＹ偏波の信号を分離するよう、適応等化器２０５ａに対して初期値を設定する（ステップＳＴ９）。一方、パイロットシーケンスが検出されない際には、すなわちバースト信号のヘッダ１０及びペイロード２０の信号に対しては、係数更新部２０５ｂによる係数更新を実施する（ステップＳＴ１０）。
【００２５】
以上説明したように、実施の形態２の光通信装置によれば、実施の形態１の等化器に代えて、適応等化器と係数更新部を備え、係数更新部は、偏波推定部が推定した偏波状態に基づき第一の偏波と第二の偏波を分離する設定を初期値として適応等化器の係数を更新するようにしたので、実施の形態１の効果に加えて、バースト信号を受信し始めてから適応等化器が収束するまでの時間を短縮することができる。
【００２６】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００２７】
以上のように、この発明に係る光通信装置は、デジタルコヒーレント技術を用いた直交する２偏波を用いて信号を多重し、分離する構成に関するものであり、アクセス系光通信システムに用いるのに適している。
【符号の説明】
【００２８】
１０  ヘッダ、１１  パイロットシーケンス、２０  ペイロード、１００  送信器、２００，２００ａ  受信器、２０１  コヒーレント光受信部、２０２  Ａ／Ｄコンバータ（ＡＤＣ）、２０３  パイロットシーケンス検出部、２０４  偏波推定部、２０５  等化器、２０５ａ  適応等化器、２０５ｂ  係数更新部、２０６  位相推定部、２０７  復号部、３０１  受信光、３０２  局発光。
【要約】
送信器（１００）は、直交する第一の偏波と第二の偏波の信号を多重し、かつ、第一の偏波と第二の偏波がそれぞれ異なる第一の周波数と第二の周波数の単一周波数成分を持つパイロットシーケンスを先頭に備えたバースト信号を生成する。コヒーレント光受信部（２０１）は、受信光と局発光とを干渉させて電気信号に変換する。パイロットシーケンス検出部（２０３）は、変換された電気信号からパイロットシーケンスを検出する。偏波推定部（２０４）は、第一の周波数に対応する周波数成分から第一の偏波の受信器（２００）における偏波状態を推定し、かつ、第二の周波数に対応する周波数成分から第二の偏波の受信器（２００）における偏波状態を推定する。等化器（２０５）は推定された偏波状態に基づいて第一の偏波と第二の偏波を分離する。【図１】
0006400245.tif 000004
【図２】
0006400245.tif 000005
【図３】
0006400245.tif 000006
【図４】
0006400245.tif 000007
【図５】
0006400245.tif 000008
【図６】
0006400245.tif 000009
【図７】
0006400245.tif 000010